(57)【特許請求の範囲】
【請求項１】
透明または半透明の合成繊維のモノフィラメント糸を経糸２および緯糸３に用いて織成したスライドファスナー用テープにおいて、ファスナーテープ１の側縁部５に複数本の柔軟性を備えた糸６を長手方向に織込んでエレメント取付部１０を形成し、柔軟性を備えた糸６は柔軟性を有する合成繊維のマルチフィラメント糸をテクスチャード加工した加工糸７から形成し、該加工糸７は経糸２よりも太く嵩高に形成したことを特徴とするスライドファスナー用テープ。
【請求項２】
柔軟性を備えた糸６を織込んで形成するエレメント取付部１０は、平坦状の織込部１１から形成されてなる請求項１記載のスライドファスナー用テープ。
【請求項３】
柔軟性を備えた糸６を織込んで形成するエレメント取付部１０は、隆起状の芯部１３から形成されてなる請求項１記載のスライドファスナー用テープ。
【発明の詳細な説明】
【０００１】
【発明の属する技術分野】
この発明は、透明または半透明の合成繊維のモノフィラメント糸を経糸および緯糸として用いて織成して形成したスライドファスナー用テープに関するものである。
【０００２】
【従来の技術】
従来、スライドファスナーにおけるファスナーテープを透明または半透明の合成繊維のモノフィラメント糸を用いて、各種の経編組織を併用し編製することが知られており、かつ実用化もなされている。
【０００３】
また図６に示すように、無色の合成繊維のモノフィラメント糸によって、ファスナーテープを平織組織で織製すると同時に、ファスナーテープの一側縁部に熱可塑性樹脂のモノフィラメントから形成されたコイル状ファスナーエレメントを織物組織のテープに織込むことによって、ファスナーテープの長手方向の伸縮を抑制できるコイル状スライドファスナーが英国特許第１２２１１１４号明細書に開示されている。
【０００４】
【発明が解決しようとする課題】
従来、スライドファスナーにおけるファスナーテープを透明または半透明の合成繊維のモノフィラメントによって経編組織で編製することが知られているが、この経編組織には複数の経編組織によってファスナーテープの長手方向の伸縮を抑制するので、多量の材料を必要とするなど問題点がある。また使用目的によっては織物組織の透明または半透明のファスナーテープを必要とする場合がしばしばある。
【０００５】
しかし織物組織による透明または半透明のファスナーテープは実用化されていない。その理由はテープ自体の織糸に目ずれが生じ取付けた個々のファスナーエレメントの間隔が不安定になるためである。図６に示した織物組織のスライドファスナーの場合も、装着するファスナーエレメントの間隔を一定にするため、ファスナーエレメントを織込んで形態の安定化を図ったファスナーストリンガーであり、全てのタイプのファスナーエレメントに供用できるファスナーテープではないなど問題点がある。
【０００６】
この発明は、上述の問題点を考慮して発明されたものであり、この発明のうち請求項１記載の発明は、スライドファスナーにおける全てのファスナーエレメントの取付けに適用することができ、しかもファッション性に富んだファスナーテープであり、各種のファスナーエレメントの装着を容易にするとともに、形態の安定化を図り、従来実用化できなかった透明または半透明の織物組織を備えたスライドファスナーのファスナーテープを、容易に実現でき、ファスナーエレメントを取り付ける部分における織物組織を作成するのに適した織糸を用い、ファスナーエレメントを安定した状態で取り付けることができる各種タイプのスライドファスナーに供用できるスライドファスナー用テープを提供することが主たる目的である。
【０００７】
請求項２記載の発明は、請求項１記載の発明の目的に加え、ファスナーエレメント特に連続コイル状タイプまたは連続ジグザグ状タイプのファスナーエレメントを縫着するのに適した織物組織を備えたスライドファスナー用テープを提供することが目的である。
【０００８】
請求項３記載の発明は、請求項１記載の発明の目的に加え、ファスナーエレメント特に単体タイプたとえば金属製のファスナーエレメント（咬合子）あるいは熱可塑性樹脂の射出成形または押出成形タイプのファスナーエレメント（咬合子）の装着に適した織物組織を備えたスライドファスナー用テープを提供することが目的である。
【０００９】
【課題を解決するための手段】
前記の目的を達成するため、この発明のうち請求項１記載の発明は、透明または半透明のポリアミド系、ポリエステル系などの合成繊維のモノフィラメント糸を織物組織における経糸２および緯糸３に用いて織成したスライドファスナー用テープにおいて、ファスナーテープ１の側縁部５に複数本の柔軟性を備えた糸６をテープの長手方向に配して織込み、ファスナーエレメント１４を取付けるためのエレメント取付部１０を形成し、該エレメント取付部１０に用いる柔軟性を備えた糸６は、ポリアミド糸、ポリエステル糸などの合成繊維のマルチフィラメント糸をテクスチャード加工した加工糸７を用いてエレメント取付部１０を形成し、この加工糸７は経糸２よりも太く嵩高に形成したスライドファスナー用テープを主な構成とするものである。
【００１０】
請求項２記載の発明は、請求項１記載の発明の構成に加え、ファスナーテープ１の側縁部５に柔軟性を備えた糸６を織込み、連続状ファスナーエレメント１４を縫着するのに適したエレメント取付部１０は、テープ１の表面が平坦な織込部１１から形成されたスライドファスナー用テープである。
【００１１】
請求項３記載の発明は、請求項１記載の発明の構成に加え、ファスナーテープ１の側縁部５に柔軟性を備えた糸６を織込み、単体タイプのファスナーエレメント１４を装着するのに適したエレメント取付部１０は、テープ１の表面に隆起する芯部１３から形成されたスライドファスナー用テープである。
【００１２】
【発明の実施の形態】
以下、この発明のスライドファスナー用テープの実施の形態について、図面を参照しながら具体的に説明する。
【００１３】
この発明のスライドファスナー用テープは、ニードル織機によって織成され、ファスナーテープ１の主体部４はポリアミド系、ポリエステル系などの透明または半透明の合成繊維のモノフィラメント糸を織物組織の経糸２とダブルピックの緯糸３に配して、透明または半透明のファスナーテープ１を織成する。
【００１４】
図１〜３に示すように第１実施例のファスナーテープ１は、ファスナーテープ１における中央の主体部４が透明または半透明のナイロン６、ナイロン６６などのポリアミド系、またポリエチレンテレフタレートなどのポリエステル系の合成繊維からなるモノフィラメント糸を経糸２として配し、緯糸３に同じく透明または半透明のポリアミド系、ポリエステル系の合成繊維のモノフィラメント糸を用いてニードル織機の鉤針に２本の緯糸３を掴持させて４本の緯糸３を緯入れしてファスナーテープ１を織成する。
【００１５】
ニードル織機でファスナーテープ１を織成する際、ファスナーテープ１の一側の側縁部５に複数本の柔軟性を備えた糸６を経糸２として配して織込んで織込部１１を設け、この織込部１１はファスナーエレメント１４を取付けるためのエレメント取付部１０を形成する。ここで柔軟性を備えた糸６はポリアミド系、ポリエステル系などの合成繊維からなるマルチフィラメント糸をテクスチヤード加工した嵩高状の加工糸７から構成され、ファスナーテープ１の主体部４におけるモノフィラメント糸からなる経糸２よりも太く嵩高に形成されている。なお織込部１１の織幅は取付けられるファスナーエレメントの大きさに適応できるように増減して織成する。
【００１６】
エレメント取付部１０に取付けるファスナーエレメント１４は、図１、２に示すように、ポリアミド、ポリエステルなどの熱可塑性樹脂のモノフィラメントをコイル状に捲回加工してコイル状ファスナーエレメント１４を作製し、このコイル状ファスナーエレメント１４内に、合成繊維のマルチフィラメント糸の撚糸８を撚るか、または引揃えて集束した芯紐９を挿通してコイル状ファスナーエレメント列１５を形成し、このファスナーエレメント列１５を、ファスナーテープ１の一側の側縁部５に形成した全体が平坦で表面が多少凹凸状を呈している織込部１１から形成されたエレメント取付部１０上に載置して、ミシン縫製の二重環縫によって芯紐９を刺通してファスナーテープ１に縫着する。
【００１７】
ファスナーテープ１の主体部４は前記のとおり、透明または半透明の合成繊維のモノフィラメント糸を経糸２および緯糸３に配して織成しているため、ファスナーテープ１は透明または半透明を呈し、異色のファッション性に富んだファスナーテープ１に仕上げることができる。
【００１８】
またファスナーテープ１の側縁部５は、合成繊維のマルチフィラメント糸をテクスチヤード加工した嵩高の加工糸７を長手方向に配して合成繊維のモノフィラメント糸からなる４本揃いの緯糸３によって締め付けられ全体的に平坦であるが、表面に凹凸があり、取付けられるファスナーエレメント列１５の滑り止めの役目を果たし、この織込部１１から形成されるエレメント取付部１０に、芯紐９入りのファスナーエレメント列１５を二重環縫によって縫着しているため、ニードル糸１６およびルーパー糸１７によってファスナーテープ１における側縁部５の長手方向の伸縮を防ぎ、かつファスナーエレメント列１５は嵩高の加工糸７を織込んだ織込部１１との摩擦で長手方向の伸縮が抑制され、したがってファスナーテープ１の織目の目ずれを確実に阻止できる。
【００１９】
次にファスナーテープ１における織込部１１の変形例について説明すると、柔軟性を備えた糸６にポリアミド系またはポリエステル系の合成繊維のマルチフィラメント糸を撚り合せた撚糸８を作製し、この撚糸８をファスナーテープ１の側縁部５における経糸２として配し、合成繊維のモノフィラメント糸の緯糸３により締め付けて織込んで織込部１１を設けることによって、エレメント取付部１０を形成する。この織込部１１も全体的に平坦であるが、表面は撚糸８によって凹凸状を呈し、取付けられるファスナーエレメント列１５の滑り止めの役目を果たすので、連続するファスナーエレメント列を縫着するのには好都合な形態に形成することも可能である。
【００２０】
図４に示す第２実施例のファスナーテープ１は、テープ主体部４および一側の側縁部５における織込部１１の形態は第１実施例と同様に、ファスナーテープ１の主体４は透明または半透明の合成繊維のモノフィラメント糸を経糸２および緯糸３に用い、また織込部１１には合成繊維のマルチフィラメント糸をテクスチヤード加工した加工糸７を緯糸３により織込んだ構成は同一である。しかしファスナーテープ１の他側の側縁部５にファスナーテープ１を被服などの被着物に縫着し取付けるための縫着部１２が備えられている形態において、第１実施例のファスナーテープ１とは異なる。
【００２１】
第２実施例のファスナーテープ１の他側の側縁部５に形成する縫着部１２は、長手方向に複数本の柔軟性を備えた糸６を配して織込み、この柔軟性を備えた糸６は織込部１１に用いた糸と同様、合成繊維のマルチフィラメント糸をテクスチヤード加工した嵩高の加工糸７を用いて、縫着部１２に嵩高性を備えさせミシン縫製に適した形態に形成し、被服などの被着物への縫着がファスナーテープ１の目ずれを起こさず容易に行えるように形成する。
【００２２】
なお、ファスナーテープ１の側縁部５に形成する縫着部１２の織幅は、エレメント取付部１０における柔軟性を備えた糸６を配して織込んだ織込部１１の織幅よりも幅広い範囲に形成するのが、ファスナーテープ１を被服などの被着物に対し縫着するのには好都合である。
【００２３】
また、柔軟性を備えた糸６としては合成繊維のマルチフィラメント糸を撚った撚糸８を用い、合成繊維のモノフィラメント糸の緯糸３によって側縁部５に織込み、被着物へ縫着するための縫着部１２を形成することもできる。
【００２４】
最後に図５に示す第３実施例のファスナーテープ１について説明すると、ファスナーテープ１の主体部４は前記各実施例のファスナーテープ１と同様に、ニードル織機によって透明または半透明の合成繊維のモノフィラメント糸を経糸２および緯糸３に用いてファスナーテープ１を織成するが、ファスナーテープ１の一側の側縁部５に、ポリアミド系、ポリエステル系の合成繊維のマルチフィラメント糸の撚糸８を複数本撚り合せるか、または引揃えて集束することによって芯紐９を形成し、この芯紐９をニードル織機による織物組織の表裏に配されるように２本の芯紐９をダブルピックの緯糸３によって織込み、表裏に隆起する芯部１３を形成し、緯糸３の長手方向へのずれ動きを阻止する。
【００２５】
２本の芯紐９によって隆起状に形成した芯部１３には、単体タイプのファスナーエレメント１４たとえば金属製のファスナーエレメント１４（咬合子）を加締め固定するか、または熱可塑性樹脂を射出成形あるいは押出成形して単体のファスナーエレメント１４（咬合子）を芯部１３に一体成形して固定し、ファスナーストリンガーを作製するのに適応できるファスナーテープ１である。
【００２６】
なお、ファスナーテープ１の側縁部５に形成する芯部１３は、１本の芯紐９をダブルピックの緯糸３により袋織組織によって織成し、芯紐９を織込んで芯部１３を形成することもできる。また芯部１３と反対側の側縁部５に第２実施例と同様に縫着部１２を形成することも勿論可能である。
【００２７】
【発明の効果】
この発明のスライドファスナー用テープは、以上説明したとおりの構成であり、この構成によって下記の効果を奏する。
【００２８】
この発明のうち請求項１記載の発明は、透明または半透明の合成繊維のモノフィラメント糸を経糸および緯糸に用いて織成したファスナーテープであり、ファスナーテープの側縁部に複数本の柔軟性を備えた糸を長手方向に織込んでエレメント取付部を形成し、柔軟性を備えた糸は柔軟性を有する合成繊維のマルチフィラメント糸をテクスチャード加工した加工糸から形成し、該加工糸は経糸よりも太く嵩高に形成したことによって、全てのファスナーエレメントの取付けに適用でき、しかも透明または半透明の織物組織のファスナーテープであるから、ファッション性に富み、かつ加工糸が連続コイル状ファスナーエレメント列または連続ジグザグ状ファスナーエレメント列との間に摩擦が生じ安定した状態で保持し、そのうえ摩擦によってエレメント取付部の目ずれ現象を確実に防ぎ、形態安定化したファスナーテープが得られる効果がある。
【００２９】
請求項２記載の発明は、請求項１記載の発明の効果に加え、柔軟性を備えた糸を織込んで形成するエレメント取付部は、平坦状の織込部から形成されていることによって、連続コイル状タイプまたは連続ジグザグ状タイプのファスナーエレメント列を形態安定化した状態で容易に取付けることができる効果がある。
【００３０】
請求項３記載の発明は、請求項１記載の発明の効果に加え、柔軟性を備えた糸を織込んで形成するエレメント取付部は、隆起状の芯部から形成されていることによって、単体タイプたとえば金属製のファスナーエレメントを加締め固定し、または熱可塑樹脂を射出成形あるいは押出成形による一体成形によって簡易に取付けることができる効果があるなど、この発明が奏する効果はきわめて顕著である。
【図面の簡単な説明】
【図１】第１実施例に基づくファスナーストリンガーの要部の正面図である。
【図２】同上ファスナーストリンガーの要部の横断面図である。
【図３】同上ファスナーチェンの正面図である。
【図４】同上ファスナーチェンの変形例を示す正面図である。
【図５】第２実施例に基づくファスナーテープの要部の正面図である。
【図６】公知のファスナーストリンガーの要部の正面図である。
【符号の説明】
１        ファスナーテープ
２        経糸
３        緯糸
４        主体部
５        側縁部
６        柔軟性を備えた糸
７        加工糸
８        撚糸
９        芯紐
１０        エレメント取付部
１１        織込部
１２        縫着部
１３        芯部
１４        ファスナーエレメント
【図１】
0003618243.tif 000002
【図２】
0003618243.tif 000003
【図３】
0003618243.tif 000004
【図４】
0003618243.tif 000005
【図５】
0003618243.tif 000006
【図６】
0003618243.tif 000007